(57)【要約】  本発明は、ランダムアクセスプロセスでＢＷＰ非アクティブタイマーが満了されると、ＢＷＰがデフォルトのＢＷＰに変化され、データは、最も適切なＢＷＰ上で送信できず、進行中のデータ送信はさえ中断され得、進行中のランダムアクセスプロセスにも影響が及ぶ可能性があるという従来技術の問題を解決するため、帯域幅パートのメンテナンスのための方法を提供する。本発明の実施形態の端末は、ランダムアクセスプロセス中に現在アクティブＢＷＰを変更しないままにし、ランダムアクセスプロセスが正常に完了した後、ＢＷＰ非アクティブタイマーの再起動操作を実行する。これにより、ランダムアクセスプロセス中に、帯域幅パートがデフォルトのＢＷＰに変化されず、進行中のデータ送信が中断される状況を減らし、進行中のランダムアクセスプロセスへの影響を減らす。
2021510260.tif 000002
【特許請求の範囲】
【請求項１】
端末は、ランダムアクセスプロセス中に現在アクティブＢＷＰを変更せずに維持するステップと、
前記端末は、ランダムアクセスプロセスが正常に完了した後、ＢＷＰ非アクティブタイマーの再起動操作を実行するステップとを備えることを特徴とする帯域幅パートＢＷＰメンテナンスのための方法。
【請求項２】
前記ランダムアクセスプロセスは、競合ランダムアクセスプロセスであり、
前記端末は、ランダムアクセスプロセスが正常に完了した後、ＢＷＰが非アクティブタイマーの再起動操作を実行することは、
前記端末は、競合解決が完了したタイミングに、またはメッセージＭｓｇ４をスケジューリングする物理ダウンリンク制御チャネル（ＰＤＣＣＨ）を受信するタイミングにＢＷＰ非アクティブタイマーの再起動操作を実行することを備えることを特徴とする請求項１に記載の帯域幅パートＢＷＰメンテナンスのための方法。
【請求項３】
前記ランダムアクセスプロセスは、ビーム失敗回復（ｂｅａｍ ｆａｉｌｕｒｅ ｒｅｃｏｖｅｒｙ）を除いた非競合ランダムアクセスプロセスであり、
前記端末は、ランダムアクセスプロセスが正常に完了した後、ＢＷＰが非アクティブタイマーの再起動操作を実行することは、
前記端末は、競合解決が完了したタイミングに、またはＭｓｇ２をスケジュールするＰＤＣＣＨを受信するタイミングに、ＢＷＰ非アクティブタイマーの再起動操作を実行することを備えることを特徴とする請求項１に記載の帯域幅パートＢＷＰメンテナンスのための方法。
【請求項４】
前記ランダムアクセスプロセスは、ビーム失敗回復（ｂｅａｍ ｆａｉｌｕｒｅ ｒｅｃｏｖｅｒｙ）の非競合ランダムアクセスプロセスであり、
前記端末は、ランダムアクセスプロセスが正常に完了した後、ＢＷＰが非アクティブタイマーの再起動操作を実行することは、
前記端末は、前記端末のセル無線ネットワーク一時的な識別子（Ｃ−ＲＮＴＩ）を含むＰＤＣＣＨコマンドを受信するタイミングに、ＢＷＰ非アクティブタイマーの再起動操作を実行することを特徴とする請求項１に記載の帯域幅パートＢＷＰメンテナンスための方法。
【請求項５】
前記端末はＢＷＰが非アクティブタイマーの再起動操作を実行することは、
前記端末は、前記ＢＷＰ非アクティブタイマーの値を初期値として設定し、または、
前記端末は、前記ＢＷＰ非アクティブタイマーの値を、ランダムアクセスを開始する前のＢＷＰ非アクティブタイマーの値として設定することを特徴とする請求項１から請求項４のいずれか一項に記載の帯域幅パートＢＷＰメンテナンスのための方法。
【請求項６】
ネットワーク側装置は、ランダムアクセスプロセスを完了する端末を決定し、ランダムアクセスを完了するＢＷＰを前記端末のアクティブＢＷＰとするステップと、
前記ネットワーク側装置は、ランダムアクセスプロセスが正常に完了した後、前記端末のＢＷＰ非アクティブタイマーの再起動操作を実行するステップとを備えることを特徴とする帯域幅パートのメンテナンスのための方法。
【請求項７】
前記ランダムアクセスプロセスは、競合ランダムアクセスプロセスであり、
前記ネットワーク側装置が端末のランダムアクセスプロセスが正常に完了した後、前記端末のＢＷＰ非アクティブタイマーの再起動操作を実行することは、
前記ネットワーク側装置は、前記端末の競合解決が完了したタイミングに、またはＭｓｇ４をスケジューリングするＰＤＣＣＨを送信するタイミングに、ＢＷＰ非アクティブタイマーの再起動操作を実行することを特徴とする請求項６に記載の帯域幅パートのメンテナンスのための方法。
【請求項８】
前記ランダムアクセスプロセスは、ビーム失敗回復を除いた非競合ランダムアクセスプロセスであり、
前記ネットワーク側装置が端末のランダムアクセスプロセスが正常に完了した後、前記端末のＢＷＰ非アクティブタイマーの再起動操作を実行することは、
前記ネットワーク側装置は、前記端末の競合解決が完了したタイミングに、またはＭｓｇ２をスケジュールするＰＤＣＣＨを送信するタイミングに、ＢＷＰ非アクティブタイマーの再起動操作を実行することを特徴とする請求項６に記載の帯域幅パートのメンテナンスのための方法。
【請求項９】
前記ランダムアクセスプロセスは、ビーム失敗回復（ｂｅａｍ ｆａｉｌｕｒｅ ｒｅｃｏｖｅｒｙ）の非競合ランダムアクセスプロセスであり、
前記ネットワーク側装置は、端末のランダムアクセスプロセスが正常に完了した後、前記端末のＢＷＰ非アクティブタイマーの再起動操作を実行することは、
前記ネットワーク側装置は、前記端末のＣ−ＲＮＴＩが含まれるＰＤＣＣＨを送信するタイミングに、ＢＷＰ非アクティブタイマーの再起動操作を実行することを備えることを特徴とする請求項６に記載の帯域幅パートのメンテナンスのための方法。
【請求項１０】
前記ネットワーク側装置が、前記端末のＢＷＰ非アクティブタイマーの再起動操作を実行することは、
前記ネットワーク側装置は、前記ＢＷＰ非アクティブタイマーの値を初期値として設定し、または、
前記ネットワーク側装置は、前記ＢＷＰ非アクティブタイマーの値を、端末がランダムアクセスを開始する前の、ＢＷＰ非アクティブタイマーの値として設定することを特徴とする請求項６から請求項９のいずれか一項に記載の帯域幅パートのメンテナンスのための方法。
【請求項１１】
プロセッサ、メモリ、および送受信機を含み、
プロセッサはバスアーキテクチャおよび一般的な処理を管理する責任があり、メモリは、プロセス操作を実行するときにプロセッサによって使用されるデータを格納する。送受信機は、プロセッサの制御下でデータを送受信するように構成され、
プロセッサは、メモリ内のプログラムを読み取り、
ランダムアクセスプロセス中に、現在アクティブＢＷＰを変更せずに維持する。ランダムアクセスプロセスが正常に完了した後、ＢＷＰ非アクティブタイマーの再起動操作を実行することを特徴とする帯域幅パートのメンテナンスのための端末。
【請求項１２】
前記ランダムアクセスプロセスは、競合ランダムアクセスプロセスであり、
前記プロセッサは、
競合解決が完了したタイミング、またはＭｓｇ４をスケジューリングするＰＤＣＣＨを受信したタイミングに、ＢＷＰ非アクティブタイマーの再起動操作を実行することを特徴とする請求項１１に記載の帯域幅パートのメンテナンスのための端末。
【請求項１３】
前記ランダムアクセスプロセスは、ビーム失敗回復を除いた非競合ランダムアクセスプロセスであり、
前記プロセッサは、
競合解決が完了したタイミングまたはＭｓｇ２をスケジュールするＰＤＣＣＨを受信するタイミングに、ＢＷＰ非アクティブタイマーの再起動操作を実行することを特徴とする請求項１１に記載の帯域幅パートのメンテナンスのための端末。
【請求項１４】
前記ランダムアクセスプロセスは、ビーム失敗回復の非競合ランダムアクセスプロセスであり、
前記プロセッサは、
前記端末のＣ−ＲＮＴＩが含まれるＰＤＣＣＨコマンドを受信したタイミングに、ＢＷＰ非アクティブタイマーの再起動操作を実行することを特徴とする請求項１１に記載の帯域幅パートのメンテナンスのための端末。
【請求項１５】
前記プロセッサは、
前記ＢＷＰ非アクティブタイマーの値を初期値として設定し、または、
前記ＢＷＰ非アクティブタイマーの値を、ランダムアクセスを開始する前のＢＷＰ非アクティブタイマーの値として設定することを特徴とする請求項１１から請求項１４のいずれか一項に記載の帯域幅パートのメンテナンスのための端末。
【請求項１６】
プロセッサ、メモリ、および送受信機を含み、ここで、プロセッサはバスアーキテクチャおよび一般的な処理を管理する責任があり、メモリは、プロセス操作を実行するときにプロセッサによって使用されるデータを格納する。送受信機は、プロセッサの制御下でデータを送受信するように構成され、
前記プロセッサは、メモリ内のプログラムを読み取り、
ランダムアクセスプロセスを完了する端末を決定し、ランダムアクセスを完了するＢＷＰを前記端末のアクティブＢＷＰとし、ランダムアクセスプロセスが正常に完了した後、前記端末のＢＷＰ非アクティブタイマーの再起動操作を実行することを特徴とする帯域幅パートのメンテナンスのためのネットワーク側装置。
【請求項１７】
前記ランダムアクセスプロセスは、競合ランダムアクセスプロセスであり、
前記プロセッサは、
前記端末の競合解決が完了したタイミングに、またはＭｓｇ４をスケジューリングするＰＤＣＣＨを送信するタイミングに、ＢＷＰ非アクティブタイマーの再起動操作を実行することを特徴とする請求項１６に記載の帯域幅パートのメンテナンスのためのネットワーク側装置。
【請求項１８】
前記ランダムアクセスプロセスは、ビーム失敗回復を除いた非競合ランダムアクセスプロセスであり、
前記プロセッサは、
前記端末の競合解決が完了したタイミングに、またはＭｓｇ２をスケジュールするＰＤＣＣＨを送信するタイミングに、ＢＷＰ非アクティブタイマーの再起動操作を実行することを特徴とする請求項１６に記載の帯域幅パートのメンテナンスのためのネットワーク側装置。
【請求項１９】
前記ランダムアクセスプロセスは、ビーム失敗回復の非競合ランダムアクセスプロセスであり、
前記プロセッサは、
前記端末のＣ−ＲＮＴＩが含まれるＰＤＣＣＨを送信するタイミングに、ＢＷＰ非アクティブタイマーの再起動操作を実行することを特徴とする請求項１６に記載の帯域幅パートのメンテナンスのためのネットワーク側装置。
【請求項２０】
前記プロセッサは、
前記ＢＷＰ非アクティブタイマーの値を初期値として設定し、または、
前記ＢＷＰ非アクティブタイマーの値を、端末がランダムアクセスを開始する前の、ＢＷＰ非アクティブタイマーの値として設定することを特徴とする請求項１６から請求項１９のいずれか一項に記載の帯域幅パートのメンテナンスのためのネットワーク側装置。
【請求項２１】
コンピュータ記憶媒体であって、
コンピュータプログラムを記憶し、プロセッサによって実行されると、前記プログラムが請求項１〜５のいずれか一項に記載の方法のステップまたは請求項６〜１０のいずれか一項に記載の方法のステップを実施することを特徴とするコンピュータ記憶媒体。
【請求項２２】
ランダムアクセスプロセス中に端末の現在アクティブＢＷＰを変更しないようにするためのモジュールと、
ランダムアクセスプロセスが正常に完了した後、ＢＷＰ非アクティブタイマーの再起動操作を実行するためのモジュールとを備えることを特徴とする帯域幅パートのメンテナンスのための装置。
【請求項２３】
ネットワーク側装置において、ランダムアクセスプロセスを完了する端末を決定し、ランダムアクセスを完了するＢＷＰを前記端末のアクティブＢＷＰとするためのモジュールと
ランダムアクセスプロセスが正常に完了した後、前記端末のＢＷＰ非アクティブタイマーの再起動操作を実行するためのモジュールとを備えることを特徴とする帯域幅パートのメンテナンスのための装置。
【発明の詳細な説明】
【技術分野】
【０００１】
本発明は、２０１８年１月８日に中国特許局に提出し、出願番号が２０１８１００１４７４１．３であり、発明の名称が「帯域幅パートのメンテナンスのための方法および装置」との中国特許出願を基礎とする優先権を主張し、その開示のすべてをここに取り込む。
本発明は、通信技術分野に関し、特に帯域幅パートのメンテナンスのための方法および装置に関する。
【背景技術】
【０００２】
従来のＬＴＥ（Ｌｏｎｇ Ｔｅｒｍ Ｅｖｏｌｕｔｉｏｎ，ロングタームエボリューション）システムでは、ネットワーク側から見たセル帯域幅は２０MＨｚの端末受信帯域幅以下であるので、ネットワーク側は端末に対して常にセルの合計アップリンクおよびダウンリンク帯域幅を構成する。端末は全セル帯域幅で動作する可能性がある。ＮＲ（Ｎｅｗ Ｒａｄｉｏ）システムでは、ネットワーク側の帯域幅が４００MＨｚに達する場合があり、これは端末の受信能力よりもはるかに大きくなる。したがって、ＢＷＰ（Ｂａｎｄ Ｗｉｄｔｈ Ｐａｒｔ）の概念が導入されました。つまり、ネットワーク側の大きな帯域幅が複数のＢＷＰに分割され、１つ以上のＢＷＰが端末に構成され、構成されたＢＷＰの一部がアクティブされ、端末のアップリンクおよびダウンリンク伝送に用いる。アクティブなダウンリンクＢＷＰはアクティブなＤＬ ＢＷＰと呼ばれ、アクティブなアップリンクＢＷＰはアクティブＵＬ ＢＷＰと呼ばれる。Ｒ１５バージョンでは、端末の場合、一度にアクティブにできるのは１つのＤＬ ＢＷＰと１つのＵＬ ＢＷＰのみであり、非アクティブＢＷＰはアップリンクとダウンリンクのシグナリングとデータ送信を実行できない。
【０００３】
ネットワーク側が端末に複数のＢＷＰを構成した後、物理層シグナリングＤＣＩ（Ｄｏｗｎｌｉｎｋ Ｃｏｎｔｒｏｌ Ｉｎｆｏｒｍａｔｉｏｎ，ダウンリンク制御情報）を使用して、アクティブＢＷＰを変更することができ、アップリンクおよびダウンリンクのアクティブＢＷＰをそれぞれ変更することができる。さらに、ＢＷＰ−ＩｎａｃｔｉｖｉｔｙＴｉｍｅｒ（ＢＷＰ Ｉｎａｃｔｉｖｉｔｙ Ｔｉｍｅｒ）がさらに導入された。ＢＷＰ非アクティブタイマー（ＢＷＰ ｉｎａｃｔｉｖｉｔｙ ｔｉｍｅｒ）が満了された後、端末のダウンリンクアクティブＢＷＰをデフォルトのダウンリンクＢＷＰに変更する必要がある。
【０００４】
ランダムアクセスは、競合ランダムアクセスと非競合ランダムアクセスの２つのタイプに分けられる。そのプロセスは次のとおりである。
【０００５】
競合ランダムアクセスプロセスは、主に４つのステップに分けられる：
Ｍｓｇ１：ＵＥ（Ｕｓｅｒ Ｅｑｕｉｐｍｅｎｔ，ユーザ機器）は、ランダムアクセスプリアンブル（ｐｒｅａｍｂｌｅ）およびランダムアクセスリソースＰＲＡＣＨ（Ｐｈｙｓｉｃａｌ Ｒａｎｄｏｍ Ａｃｃｅｓｓ Ｃｈａｎｎｅｌ，物理ランダムアクセスチャネル）を選択し、選択されたランダムアクセスプリアンブルを選択されたＰＲＡＣＨリソース上で基地局に送信する。
Ｍｓｇ２：基地局は、ランダムアクセス要求Ｍｓｇ１を受信し、ランダムアクセス応答をＵＥに送信する。
Ｍｓｇ３：ＵＥは、Ｍｓｇ２によって指定されたＵＬ許可（ＵＬ ｇｒａｎｔ，アップリンクスケジューリング情報）でアップリンク送信を送信する。ランダムアクセスが異なる理由は、Ｍｓｇ３アップリンク送信のコンテンツが異なるためである。たとえば、初期アクセスの場合、Ｍｓｇ３はＲＲＣ（Ｒａｄｉｏ Ｒｅｓｏｕｒｃｅ Ｃｏｎｔｒｏｌ）接続確立要求を送信する。
Ｍｓｇ４：競合解決メッセージ。ここで、ＵＥは、Ｍｓｇ４に従ってランダムアクセスが成功するかどうかを決定することができる。最初にアクセスするＵＥの場合、一時的なＣ−ＲＮＴＩ（Ｃｅｌｌ Ｒａｄｉｏ Ｎｅｔｗｏｒｋ Ｔｅｍｐｏｒａｒｙ Ｉｄｅｎｔｉｆｉｅｒ）は、競合解決が成功した後、セル内のＵＥの一意のＵＥ識別子（Ｃ−ＲＮＴＩ）に自動的に変換される。
【０００６】
非競合ランダムアクセスプロセスは、主に３つのステップに分けられる：
Ｍｓｇ０：基地局は、非競合ランダムアクセス、ならびにＵＥへのランダムアクセスによって使用されるＰＲＡＣＨリソースに専用のプリアンブルを割り当てる。
Ｍｓｇ１：ＵＥは、Ｍｓｇ０の指示に従って、指定された専用プリアンブルを指定されたＰＲＡＣＨリソース上で基地局に送信する。基地局は、Ｍｓｇ１を受信した後、Ｍｓｇ１に従ってアップリンクＴＡ（Ｔｉｍｉｎｇ Ａｄｖａｎｃｅ）を計算する。
Ｍｓｇ２：基地局は、ランダムアクセス応答をＵＥに送信する。
【発明の概要】
【発明が解決しようとする課題】
【０００７】
現在のメカニズムの下では、ランダムアクセスプロセスにおいて、ＢＷＰ非アクティブタイマーの運用メンテナンスは行われない。したがって、ランダムアクセスプロセスでＢＷＰ非アクティブタイマーが満了されると、ＢＷＰはデフォルトのＢＷＰに変更され、最適なＢＷＰでデータを送信できなくなり、進行中のデータ送信も中断され、ランダムアクセスプロセスも影響を受けた。
【０００８】
本発明は、ランダムアクセスプロセスでＢＷＰ非アクティブタイマーが満了されると、ＢＷＰがデフォルトのＢＷＰに変化され、データは、最も適切なＢＷＰ上で送信できず、進行中のデータ送信はさえ中断され得、進行中のランダムアクセスプロセスにも影響が及ぶ可能性があるという従来技術の問題を解決するため、帯域幅パートのメンテナンスのための方法を提供する。
【課題を解決するための手段】
【０００９】
第１の態様では、本発明の実施形態によって提供される帯域幅パートのメンテナンスのための方法は、
端末は、ランダムアクセスプロセス中に現在アクティブＢＷＰを変更せずに維持するステップと、
前記端末は、ランダムアクセスプロセスが正常に完了した後、ＢＷＰ非アクティブタイマーの再起動操作を実行するステップとを備える。
【００１０】
第２の態様では、本発明の実施形態によって提供される帯域幅パートのメンテナンスのための方法は、
ネットワーク側装置は、ランダムアクセスプロセスを完了する端末を決定し、ランダムアクセスを完了するＢＷＰを前記端末のアクティブＢＷＰとし、
前記ネットワーク側装置は、ランダムアクセスプロセスが正常に完了した後、前記端末のＢＷＰ非アクティブタイマーの再起動操作を実行する。
【００１１】
第３の態様では、本発明の実施形態によって提供される帯域幅パートのメンテナンスのための端末は、プロセッサ、メモリ、および送受信機を含み、ここで、プロセッサはバスアーキテクチャおよび一般的な処理を管理する責任があり、メモリは、プロセス操作を実行するときにプロセッサによって使用されるデータを格納する。送受信機は、プロセッサの制御下でデータを送受信するように構成され、
プロセッサは、メモリ内のプログラムを読み取り、以下のプロセスを実行するように構成され、
ランダムアクセスプロセス中に、現在アクティブＢＷＰを変更しないままにし、ランダムアクセスプロセスが正常に完了した後、ＢＷＰ非アクティブタイマーの再起動操作を実行する。
【００１２】
第４の態様では、本発明の実施形態によって提供される帯域幅パートのメンテナンスのためのネットワーク側装置は、プロセッサ、メモリ、および送受信機を含み、ここで、プロセッサはバスアーキテクチャおよび一般的な処理を管理する責任があり、メモリは、プロセス操作を実行するときにプロセッサによって使用されるデータを格納する。送受信機は、プロセッサの制御下でデータを送受信するように構成される。
プロセッサは、メモリ内のプログラムを読み取り、以下のプロセスを実行するように構成され、
ランダムアクセスプロセスを完了する端末を決定し、ランダムアクセスを完了するＢＷＰを前記端末のアクティブＢＷＰとし、ランダムアクセスプロセスが正常に完了した後、前記端末のＢＷＰ非アクティブタイマーの再起動操作を実行する。
【００１３】
第５の態様では、本発明の実施形態によって提供されるコンピュータ記憶媒体は、その上にコンピュータプログラムを格納し、プログラムは、プロセッサによって実行されると、上記端末側の、帯域幅パートのメンテナンスのための解決案またはネットワーク側装置の帯域幅パートのメンテナンスのための解決案を実施する。
【００１４】
第６の態様では、本発明の実施形態によって提供される帯域幅パートのメンテナンスのための装置は、
ランダムアクセスプロセス中に端末の現在アクティブＢＷＰを変更しないようにするためのモジュールと、
ランダムアクセスプロセスが正常に完了した後、ＢＷＰ非アクティブタイマーの再起動操作を実行するためのモジュールとを備える。
【００１５】
第７の態様では、本発明の実施形態によって提供される帯域幅パートのメンテナンスのための装置は、
ネットワーク側装置において、ランダムアクセスプロセスを完了する端末を決定し、ランダムアクセスを完了するＢＷＰを前記端末のアクティブＢＷＰとするためのモジュールと、
ランダムアクセスプロセスが正常に完了した後、前記端末のＢＷＰ非アクティブタイマーの再起動操作を実行するためのモジュールとを備える。
【発明の効果】
【００１６】
本発明の実施形態によって提供される技術的解決策では、端末は、ランダムアクセスプロセス中に現在アクティブＢＷＰを変更しないままにし、ランダムアクセスプロセスが正常に完了した後、ＢＷＰ非アクティブタイマーの再起動操作を実行する。端末が、ランダムアクセスプロセス中に現在アクティブＢＷＰを変更しないままにし、ランダムアクセスプロセスが正常に完了した後、ＢＷＰ非アクティブタイマーの再起動操作を実行するため、ランダム中にＢＷＰがデフォルトのＢＷＰに変更される状況は発生しない。進行中のデータ送信が中断される状況を減らし、進行中のランダムアクセスプロセスへの影響を減らす。
【００１７】
さらに、ランダムアクセスプロセスが正常に完了した後にＢＷＰ非アクティブタイマーを再起動することにより、ＢＷＰ非アクティブタイマーの正しいメンテナンスが保証されるため、ＢＷＰ非アクティブタイマーの機能、例えば、ＢＷＰ非アクティブタイマーが満了されると、デフォルトのＢＷＰへの変更機能などを発揮し、端末が電力を節約できるようになる。
【００１８】
本発明に係る実施例や従来の技術解決策をより明確に説明するために、以下に実施例を説明するために必要な図面をについて簡単に紹介する。無論、以下の説明における図面は本発明に係る実施例の一部であり、当業者は、創造性作業を行わないことを前提として、これらの図面に基づいて他の図面を得ることができる。
【図面の簡単な説明】
【００１９】
【図１】本発明の実施形態の帯域幅のメンテナンスのためのシステムの構造概略図である。
【図２】本発明の実施形態の第１の競合ランダムアクセス下での帯域幅メンテナンスの概略図である。
【図３】本発明の実施形態の第２の競合ランダムアクセス下での帯域幅メンテナンスの概略図である。
【図４】本発明の実施形態の第３の競合ランダムアクセス下での帯域幅メンテナンスの概略図である。
【図５】本発明の実施形態の第１の非競合ランダムアクセス下での帯域幅メンテナンスの概略図である。
【図６】本発明の実施形態の第２の非競合ランダムアクセス下での帯域幅メンテナンスの概略図である。
【図７】本発明の実施形態の第３の非競合ランダムアクセス下での帯域幅メンテナンスの概略図である。
【図８】本発明の実施形態の第４の非競合ランダムアクセス下での帯域幅メンテナンスの概略図である。
【図９】本発明の実施形態の第１の端末の構造概略図である。
【図１０】本発明の実施形態の第１のネットワーク側装置の構造概略図である。
【図１１】本発明の実施形態の第２の端末の構造概略図である。
【図１２】本発明の実施形態の第１のネットワーク側装置の構造概略図である。
【図１３】本発明の実施形態端末側帯域幅のメンテナンスのための方法のフローの概略図である。
【図１４】本発明の実施形態ネットワーク側装置帯域幅のメンテナンスのための方法のフローの概略図である。
【発明を実施するための形態】
【００２０】
以下では、当業者の理解を容易にするために、本出願の実施形態におけるいくつかの用語を説明する。
（１）本発明の実施形態では、名詞「ネットワーク」と「システム」が交互に使用されることが多いが、当業者であればその意味を理解することができる。
（２）本発明の実施形態における「複数」は、２つ以上を指し、他の数量詞も同様である。
（３）“「および／または」は、関連するオブジェクトの関連関係を記述し、例えばＡおよび／またはＢが表すことができる３つの関係があることを示す：Ａのみ、ＡとＢの両方、Ｂのみ。符号「/」は、一般に、関連するオブジェクトに一種の「または」関係があることを示す。
【００２１】
本発明の目的、技術的解決策、および利点をより明確にするために、本発明は、添付の図面を参照して以下でさらに詳細に説明される。以下で説明される実施形態は、本出願の実施形態の一部にすぎず、すべての実施形態ではないことは明らかである。本出願の実施形態に基づいて、創造的な作業なしに当業者によって得られる他のすべての実施形態は、本出願の保護範囲に関係する。
【００２２】
図１に示されるように、本発明の実施形態の帯域幅のメンテナンスのためのシステムは、端末１０およびネットワーク側装置２０を含む。
前記端末１０は、ランダムアクセスプロセスの間、現在アクティブなＢＷＰを変更しないでおくように構成される。ランダムアクセスプロセスが正常に完了した後、ＢＷＰ非アクティブタイマーの再起動操作を実行する。
現在アクティブＢＷＰは、ランダムアクセスプロセスを開始するＢＷＰを指す。端末がランダムアクセスを開始する前のアクティブＢＷＰにランダムアクセスリソースがある場合、ＢＷＰは端末がランダムアクセスを開始する前のアクティブＢＷＰである。
【００２３】
前記ネットワーク側デバイス２０は、ランダムアクセスプロセスを完了する端末を決定し、ランダムアクセスを完了するＢＷＰを前記端末のアクティブＢＷＰとし、ランダムアクセスプロセスが正常に完了した後、前記端末のＢＷＰ非アクティブタイマーの再起動操作を実行する。
【００２４】
本発明の実施形態では、端末は、ランダムアクセスプロセス中に現在アクティブＢＷＰを変更しないままにし、ランダムアクセスプロセスが正常に完了した後、ＢＷＰ非アクティブタイマーの再起動操作を実行する。端末が、ランダムアクセスプロセス中に現在アクティブＢＷＰを変更しないままにし、ランダムアクセスプロセスが正常に完了した後、ＢＷＰ非アクティブタイマーの再起動操作を実行するため、ランダム中にＢＷＰがデフォルトのＢＷＰに変更される状況は発生しない。進行中のデータ送信が中断される状況を減らし、進行中のランダムアクセスプロセスへの影響を減らす。
【００２５】
同時に、ＢＷＰ非アクティブタイマーを正しくメンテナンスすることができない場合、ＢＷＰ非アクティブタイマーの機能は適切に機能しない。たとえば、ランダムアクセスプロセス中の基地局と端末の同期化されていない時間により、ＢＷＰ非アクティブタイマーのメンテナンスに偏差がある場合、端末はデフォルトのＢＷＰまたは初期ＢＷＰに正しく変更できない。したがって、端末の電力を節約するという目的は達成できない。したがって、本発明の実施形態では、ランダムアクセスプロセスが正常に完了した後にＢＷＰ非アクティブタイマーを再起動することにより、ＢＷＰ非アクティブタイマーの正しいメンテナンスが保証される。端末が電力を節約できるように、ＢＷＰ非アクティブタイマーが時間満了になった後、デフォルトのＢＷＰに変更される。
【００２６】
本発明の実施形態のランダムアクセスプロセスは、競合ランダムアクセスプロセスと非競合ランダムアクセスプロセスに関連するが、以下で説明する。
【００２７】
Ｉ．競合ランダムアクセスプロセス
１．前記端末は、競合解決が完了したタイミングに、ＢＷＰ非アクティブタイマーの再起動操作を実行する。
これに対応して、前記ネットワーク側装置は、前記端末の競合解決が完了したタイミングに、ＢＷＰ非アクティブタイマーの再起動操作を実行する。
ここで、端末およびネットワーク側装置によって実行されるＢＷＰ非アクティブタイマーの再起動操作は、前記ＢＷＰ非アクティブタイマーの値を初期値として設定することであるか、または、端末とネットワーク側装置が、ランダムアクセスが開始される前に、ＢＷＰ非アクティブタイマーの値をＢＷＰ非アクティブタイマーの値として設定することである。
【００２８】
２．前記端末は、Ｍｓｇ４をスケジュールするＰＤＣＣＨ（Ｐｈｙｓｉｃａｌ Ｄｏｗｎｌｉｎｋ Ｃｏｎｔｒｏｌ Ｃｈａｎｎｅｌ，物理ダウンリンク制御チャネル）を受信したタイミングに、ＢＷＰ非アクティブタイマーの再起動操作を実行する。
それに対応して、前記ネットワーク側装置は、Ｍｓｇ４をスケジュールするＰＤＣＣＨを送信するタイミングに、ＢＷＰ非アクティブタイマーの再起動操作を実行する。
ここで、端末およびネットワーク側装置によって実行されるＢＷＰ非アクティブタイマーの再起動操作は、前記ＢＷＰ非アクティブタイマーの値を初期値として設定することであるか、または、端末とネットワーク側装置が、ランダムアクセスが開始される前に、ＢＷＰ非アクティブタイマーの値をＢＷＰ非アクティブタイマーの値として設定することである。
【００２９】
ＩＩ.非競合ランダムアクセス
ここで、非競合ランダムアクセス処理は、ビーム失敗回復（伝ｂｅａｍ ｆａｉｌｕｒｅ ｒｅｃｏｖｅｒｙ）と非ビーム失敗回復に分けられる。
【００３０】
第１のモード：ビーム失敗回復以外の非競合ランダムアクセスプロセス。
１．端末は、競合解決が完了したタイミングに、ＢＷＰ非アクティブタイマーの再起動操作を実行する。
それに対応して、ネットワーク側装置は、端末の競合解決が完了したタイミングに、ＢＷＰ非アクティブタイマーの再起動操作を実行する。
ここで、前記端末が行うＢＷＰ非アクティブタイマーの再起動操作は、ＢＷＰ非アクティブタイマーの値を初期値として設定することである。または、ランダムアクセスが開始される前のＢＷＰ非アクティブタイマーの値としてＢＷＰ非アクティビティタイマーの値を設定する。
２．端末は、前記Ｍｓｇ２をスケジュールするＰＤＣＣＨを送信するタイミングに、ＢＷＰ非アクティブタイマーの再起動操作を実行する。
それに対応して、ネットワーク側装置は、Ｍｓｇ２をスケジュールするＰＤＣＣＨを受信するタイミングに、ＢＷＰ非アクティブタイマーの再起動操作を実行する。
ここで、端末およびネットワーク側装置が実行するＢＷＰ非アクティブタイマーの再起動操作は、ＢＷＰ非アクティブタイマーの値を初期値として設定することであるか、または、端末とネットワーク側装置が、ランダムアクセスが開始される前に、ＢＷＰ非アクティブタイマーの値をＢＷＰ非アクティブタイマーの値として設定することである。
【００３１】
第２のモード：ビーム失敗回復の非競合ランダムアクセスプロセス。
前記端末は、前記端末のＣ−ＲＮＴＩが含まれるＰＤＣＣＨコマンドを受信したタイミングに、ＢＷＰ非アクティブタイマーの再起動操作を実行する。
それに対応して、ネットワーク側装置は、端末のＣ−ＲＮＴＩを用いてＰＤＣＣＨを送信するタイミングに、ＢＷＰ非アクティブタイマーの再起動操作を実行する。
ここで、端末およびネットワーク側装置によって実行されるＢＷＰ非アクティブタイマーの再起動操作は、ＢＷＰ非アクティブタイマーの値を初期値として設定することであるか、または、端末とネットワーク側装置が、ランダムアクセスが開始される前に、ＢＷＰ非アクティブタイマーの値をＢＷＰ非アクティブタイマーの値として設定することである。
ここで、本発明の実施形態におけるネットワーク側装置は、基地局（マクロ基地局、進化型基地局、ホーム基地局など）、またはＲＮ（Ｒｅｌａｙ ｎｏｄｅ，中継ノード）装置またはその他のネットワーク側装置であり得る。
【００３２】
第１の実施形態：再始動されたＢＷＰタイマーの値が初期値であり、ＢＷＰタイマーの
開始点が競合解決が完了したタイミングである競合ランダムアクセス。
端末側：ランダムアクセスが成功した後、端末は、ランダムアクセスを完了したＢＷＰがアクティブＢＷＰであると判断し、ＢＷＰタイマーを再開し、再開されたＢＷＰタイマーを初期値に設定する。
ここで、競合解決が成功したと端末側が判断する根拠は、競合解決を正常に完了できるＭｓｇ４の受信である。
基地局側：ランダムアクセスが成功した後、基地局側は、ランダムアクセスを完了するために端末によって使用されるＢＷＰがアクティブＢＷＰであると判断し、ＢＷＰタイマーを初期値に再スタートする。
具体的な処理は、図２に示すとおりである。
【００３３】
第２の実施形態：競合ランダムアクセス。ここで、再開されたＢＷＰタイマーの値は、ランダムアクセスが開始される前のＢＷＰタイマーの値であり、ＢＷＰタイマーの開始点は、競合解決が完了したタイミングである。
端末側：ランダムアクセスが成功した後、ランダムアクセスを完了するＢＷＰがアクティブＢＷＰであると端末は判断し、ＢＷＰタイマーを再起動し、それをランダムアクセスが開始される前のＢＷＰタイマーの値に設定する。
ここで、競合解決が成功したと端末側が判断する根拠は、競合解決を成功に完了できるＭｓｇ４の受信である。
基地局側：ランダムアクセスが成功した後、基地局側は、ランダムアクセスを完了するために端末によって使用されるＢＷＰがアクティブＢＷＰであることを決定し、当該端末がランダムアクセスプロセスを完了するために必要な時間を推定し、ＢＷＰタイマーを再開して、端末がランダムアクセスを開始する前の、ＢＷＰタイマーの推定値に設定する。
具体的な処理は図３に示すとおりである。
【００３４】
第３の実施形態：再起動されたＢＷＰタイマーの値が初期値であり、ＢＷＰタイマーの開始点が、Ｍｓｇ４をスケジュールするＰＤＣＣＨが受信されるタイミングである、競合ランダムアクセス。
端末側：ランダムアクセスが成功した後、ランダムアクセスを完了したＢＷＰがアクティブＢＷＰであると端末が判定し、ＢＷＰタイマーを再開し、Ｍｓｇ４スケジューリングコマンドを受信した時点をＢＷＰタイマーの開始点とし、ＢＷＰタイマーを初期値に設定する。
基地局側：ランダムアクセスが成功した後、基地局側は、ランダムアクセスを完了するために端末によって使用されるＢＷＰがアクティブＢＷＰであることを決定し、ＢＷＰタイマーを再開し、ＰＤＣＣＨがＭｓｇ４スケジューリングコマンドを送信する時点をＢＷＰタイマーの開始点として使用され、ＢＷＰタイマーを初期値に設定する。
具体的な処理は、図４に示すとおりである。
【００３５】
第４の実施形態：非競合ランダムアクセス（ビーム失敗回復を除く）。ここで、再開されたＢＷＰタイマーの値は初期値であり、ＢＷＰタイマーの開始点は、競合解決が完了したタイミングである。
端末側：端末は、基地局側から送信された非競合ランダムアクセスコマンド（ＰＤＣＣＨオーダーまたはＲＲＣメッセージ）を受信した後、非競合ランダムアクセスを開始し、ランダムアクセスを完了しているＢＷＰがアクティブＢＷＰであると判断する。ＢＷＰタイマーを初期値に再起動する。競合解決が成功したと端末側が判断する根拠は、Ｍｓｇ２ MＡＣ ＲＡＲから解析されたＲＡＰＩＤが端末によって送信されるＭｓｇ１のプリアンブルＩＤと同じであることである。端末側がＢＷＰタイマーを停止するタイミングは、基地局側から送信された非競合ランダムアクセスコマンド（ＰＤＣＣＨコマンドまたはＲＲＣコマンド）を受信したタイミング、または端末側が非競合ランダムアクセス、つまりＭｓｇ１が送信されたタイミングである。次の図では、端末がＭｓｇ１を送信したタイミングをＢＷＰタイマーが停止したタイミングとしている。
基地局側：基地局側は、非競合ランダムアクセスコマンドを端末に送信し、ＢＷＰタイマーを停止し、ランダムアクセスが成功した後、ランダムアクセスを完了するために端末によって使用されるＢＷＰがアクティブＢＷＰであると決定する。ＢＷＰタイマーを初期値に再起動する。基地局側がＢＷＰタイマーを停止するタイミングは、非競合ランダムアクセスコマンド（ＰＤＣＣＨコマンドまたはＲＲＣコマンド）が端末に送信されたタイミング、または端末側が非競合ランダムアクセスの開始を開始したタイミングでありつまりＭｓｇ１が送信されたタイミングである。
端末がＭｓｇ１を送信したタイミングをＢＷＰタイマーが停止したタイミングとし、具体的な処理は図５に示すとおりである。
【００３６】
第５の実施形態：非競合ランダムアクセス（ビーム失敗回復を除く）。ここで、再開されたＢＷＰタイマーの値は、ランダムアクセスが開始される前のＢＷＰタイマーの値であり、ＢＷＰタイマーの開始点は、競合解決が完了したタイミングである。
端末側：端末は、基地局側によって送信された非競合ランダムアクセスコマンド（ＰＤＣＣＨオーダーまたはＲＲＣメッセージ）を受信した後、非競合ランダムアクセスを開始し、ランダムアクセスを完了しているＢＷＰがアクティブＢＷＰであると判断する。ランダムアクセスが成功した後、ＢＷＰタイマーが停止したタイミングを再開されたＢＷＰタイマーの値とする。競合解決が成功したと端末側が判断する根拠は、Ｍｓｇ２  MＡＣ ＲＡＲから解析されたＲＡＰＩＤが、端末から送信されたＭｓｇ１のプリアンブルＩＤと同じであることである。端末側がＢＷＰタイマーを停止するタイミングは、基地局側から送信された非競合ランダムアクセスコマンド（ＰＤＣＣＨコマンドまたはＲＲＣコマンド）を受信したタイミング、または端末側が非競合ランダムアクセス、つまりＭｓｇ１が送信されたタイミングである。次の図では、端末がＭｓｇ１を送信したタイミングをＢＷＰタイマーが停止したタイミングとしている。
基地局側：基地局側は非競合ランダムアクセスコマンドを端末に送信し、ＢＷＰタイマーを停止し、ランダムアクセスが成功した後、ランダムアクセスを完了するために端末によって使用されるＢＷＰがアクティブＢＷＰであると決定する。およびＢＷＰタイマーが停止したタイミングのＢＷＰタイマーの値にＢＷＰタイマーを再起動する。基地局側がＢＷＰタイマーを停止するタイミングは、非競合ランダムアクセスコマンド（ＰＤＣＣＨコマンドまたはＲＲＣコマンド）が端末に送信されたタイミング、または端末側が非競合ランダムアクセスを開始したタイミングであり、つまりＭｓｇ１が送信されたタイミングである。次の図では、端末がＭｓｇ１を送信したタイミングをＢＷＰタイマーが停止したタイミングとしている。
具体的な処理は、図６に示すとおりである。
【００３７】
第６の実施形態：非競合ランダムアクセス（ビーム失敗回復を除く）。ここで、再開されたＢＷＰタイマーの値は初期値であり、ＢＷＰタイマーの開始点は、Ｍｓｇ２をスケジュールするＰＤＣＣＨコマンドを受信するタイミングである。
端末側：端末は、基地局側から送信された非競合ランダムアクセスコマンド（ＰＤＣＣＨオーダーまたはＲＲＣメッセージ）を受信した後、非競合ランダムアクセスを開始し、ランダムアクセスが成功した後、ランダムアクセスを完了しているＢＷＰがアクティブＢＷＰであると判断する。ＢＷＰタイマーを初期値に再起動する。ＢＷＰタイマーの開始点は、Ｍｓｇ２をスケジュールするＰＤＣＣＨコマンドが受信されたタイミングである。端末側がＢＷＰタイマーを停止するタイミングは、基地局側から送信された非競合ランダムアクセスコマンド（ＰＤＣＣＨコマンドまたはＲＲＣコマンド）を受信したタイミング、または端末側が非競合ランダムアクセスを開始するタイミング、つまりＭｓｇ１が送信されたタイミングである。次の図では、端末がＭｓｇ１を送信したタイミングをＢＷＰタイマーが停止したタイミングとしている。
基地局側：基地局側は非競合ランダムアクセスコマンドを端末に送信し、ＢＷＰタイマーを停止し、ランダムアクセスが成功した後、ランダムアクセスを完了するために端末によって使用されるＢＷＰがアクティブＢＷＰであると決定する。およびＢＷＰタイマーを初期値に再起動する。ＢＷＰタイマーの開始点は、Ｍｓｇ２をスケジュールするＰＤＣＣＨコマンドが送信されたタイミングである。基地局側がＢＷＰタイマーを停止するタイミングは、非競合ランダムアクセスコマンド（ＰＤＣＣＨコマンドまたはＲＲＣコマンド）が端末に送信されたタイミング、または端末側が非競合ランダムアクセスを開始したタイミングであり、つまりＭｓｇ１が送信されたタイミングである。
端末がＭｓｇ１を送信したタイミングをＢＷＰタイマーが停止したタイミングとし、具体的な処理は図７に示すとおりである。
【００３８】
第７の実施形態：非競合ランダムアクセス（ビーム失敗回復）。ここで、競合解決が完了するとともに再開されたＢＷＰタイマーの値は、初期値である。
端末側：端末は、ビーム失敗回復のための非競合ランダムアクセスプロセスを開始し、ＢＷＰタイマーを停止し、ランダムアクセスが成功した後、ランダムアクセスを完了しているＢＷＰがアクティブＢＷＰであると判断し、初期値にＢＷＰタイマーを再起動する。ＢＷＰタイマーの開始点は、端末のC−ＲＮＴＩを含むＰＤＣＣＨスケジューリングコマンドが受信されたタイミングである。
基地局側：基地局側は、端末によって開始されたビーム失敗回復のための非競合ランダムアクセスプロセスを受信し、ＢＷＰタイマーを停止し、ランダムアクセスが成功した後、ランダムアクセスを完了するＢＷＰがアクティブＢＷＰであると判断する。およびＢＷＰタイマーを初期値に再起動する。ＢＷＰタイマーの開始点は、端末のC−RNTIを含むＰＤＣＣＨスケジューリングコマンドが送信されたタイミングである。
具体的なプロセスは、図８に示されるとおりである。
図９に示すように、本発明の実施形態の第１の端末は、プロセッサ９００と、メモリ９０１と、送受信機９０２とを備える。
【００３９】
プロセッサ９００はバスアーキテクチャおよび一般的な処理を管理する責任があり、メモリ９０１は、動作を実行するときにプロセッサ９００によって使用されるデータを格納することができる。送受信機９０２は、プロセッサ９００の制御下でデータを送受信するように構成される。
バスアーキテクチャは、任意の数の相互接続されたバスおよびブリッジを含み得、具体的には、プロセッサ９００によって表される１つまたは複数のプロセッサの様々な回路およびメモリ９０１によって表されるメモリをリンクし得る。バスアーキテクチャは、そのような他の様々な回路をさらにリンクし得る。周辺装置として、電圧調整器および電力管理回路であり、これらはすべて当技術分野でよく知られており、したがって、本明細書では再度さらに説明しない。バスインターフェイスはインターフェイスを提供する。プロセッサ９００はバスアーキテクチャおよび一般的な処理を管理する責任があり、メモリ９０１は、動作を実行するときにプロセッサ９００によって使用されるデータを格納することができる。
【００４０】
本発明に係る実施例により開示された流れは、プロセッサ９００に適用することができるか、または、プロセッサ９００により実現される。実装プロセスにおいて、信号処理フローの各ステップは、プロセッサ９００内のハードウェアの論理集積回路またはソフトウェア形式の指令により完成されることができる。プロセッサ９００は、汎用プロセッサ、デジタル信号プロセッサ、専用集積回路、フィールドプログラマブル・ゲートアレイまたはたのプログラマブルロジック・デバイス、ディスクリート・ゲートまたはトランジスタロジック・デバイス 、ディスクリート・ハードウェアコンポネントであることができ、本発明に係る実施例により開示した各々方法、ステップ及びロジックブロック図を実現・執行することができる。汎用プロセッサはマイクロプロセッサまたはいずれのノーマルプロセッサなどであることができる。本発明に係る実施例に開示された方法のステップを参照すれば、ハードウェアプロセッサにより直接に執行して完成するか、または、プロセッサ内のハードウェア及びソフトウェアモジュールの組み合わせにより執行されて完成することができる。ソフトウェアモジュールは、ランダムメモリ、フラッシュメモリ、リードオンリーメモリ，プログラマブルリードオンリーメモリまたは電気的消去可能プログラマブルメモリ、レジスタなど本分野のよく知られる記憶媒体に格納されることができる。当該記憶媒体はメモリ９０１に位置し、プロセッサ９００はメモリ９０１に格納される情報を読み出して、そのハードウェアと組み合わせて信号処理フローのステップを完了する。
【００４１】
ここで、プロセッサ９００は、メモリ９０１内のプログラムを読み取り、以下のプロセスを実行するように構成され、
ランダムアクセスプロセス中に、現在アクティブＢＷＰを変更せずに維持する。ランダムアクセスプロセスが正常に完了した後、ＢＷＰ非アクティブタイマーの再起動操作を実行する。
任意選択で、前記ランダムアクセスプロセスは、競合ランダムアクセスプロセスである。
【００４２】
前記プロセッサ９００は特に以下のように構成されている。
競合解決が完了したタイミング、またはＭｓｇ４をスケジューリングするＰＤＣＣＨを受信したタイミングに、ＢＷＰ非アクティブタイマーの再起動操作を実行する。
任意選択で、前記ランダムアクセスプロセスは、ビーム失敗回復（ｂｅａｍ ｆａｉｌｕｒｅ ｒｅｃｏｖｅｒｙ）を除いた非競合ランダムアクセスプロセスであり、
【００４３】
前記プロセッサ９００は特に以下のように構成されている。
競合解決が完了したタイミングまたはＭｓｇ２をスケジュールするＰＤＣＣＨを受信するタイミングに、ＢＷＰ非アクティブタイマーの再起動操作を実行する。
任意選択で、前記ランダムアクセスプロセスは、ビーム失敗回復（ｂｅａｍ ｆａｉｌｕｒｅ ｒｅｃｏｖｅｒｙ）の非競合ランダムアクセスプロセスである。
【００４４】
前記プロセッサ９００は特に以下のように構成されている。
前記端末のＣ−ＲＮＴＩが含まれるＰＤＣＣＨコマンドを受信したタイミングに、ＢＷＰ非アクティブタイマーの再起動操作を実行する。
任意選択で、前記プロセッサ９００は特に以下のように構成されている。
前記ＢＷＰ非アクティブタイマーの値を初期値として設定し、または、
前記ＢＷＰ非アクティブタイマーの値を、ランダムアクセスを開始する前のＢＷＰ非アクティブタイマーの値として設定する。
【００４５】
図１０に示すように、本発明の実施形態の第１のネットワーク側装置は、プロセッサ１０００、メモリ１００１、および送受信機１００２を含む。
プロセッサ１０００はバスアーキテクチャおよび一般的な処理を管理する責任があり、メモリ１００１は、動作を実行するときにプロセッサ１０００によって使用されるデータを格納することができる。送受信機１００２は、プロセッサ１０００の制御下でデータを送受信するように構成される。
【００４６】
バスアーキテクチャは、任意の数の相互接続されたバスおよびブリッジを含み得、具体的には、プロセッサ１０００によって表される１つまたは複数のプロセッサの様々な回路およびメモリ１００１によって表されるメモリをリンクし得る。バスアーキテクチャは、そのような他の様々な回路をさらにリンクし得る。周辺装置として、電圧調整器および電力管理回路であり、これらはすべて当技術分野でよく知られており、したがって、本明細書では再度さらに説明しない。バスインターフェイスはインターフェイスを提供する。プロセッサ１０００はバスアーキテクチャおよび一般的な処理を管理する責任があり、メモリ１００１は、動作を実行するときにプロセッサ１０００によって使用されるデータを格納することができる。
【００４７】
本発明に係る実施例により開示された流れは、プロセッサ１０００に適用することができるか、または、プロセッサ１０００により実現される。実装プロセスにおいて、信号処理フローの各ステップは、プロセッサ１０００内のハードウェアの論理集積回路またはソフトウェア形式の指令により完成されることができる。プロセッサ１０００は、汎用プロセッサ、デジタル信号プロセッサ、専用集積回路、フィールドプログラマブル・ゲートアレイまたはたのプログラマブルロジック・デバイス、ディスクリート・ゲートまたはトランジスタロジック・デバイス 、ディスクリート・ハードウェアコンポネントであることができ、本発明に係る実施例により開示した各々方法、ステップ及びロジックブロック図を実現・執行することができる。汎用プロセッサはマイクロプロセッサまたはいずれのノーマルプロセッサなどであることができる。本発明に係る実施例に開示された方法のステップを参照すれば、ハードウェアプロセッサにより直接に執行して完成するか、または、プロセッサ内のハードウェア及びソフトウェアモジュールの組み合わせにより執行されて完成することができる。ソフトウェアモジュールは、ランダムメモリ、フラッシュメモリ、リードオンリーメモリ，プログラマブルリードオンリーメモリまたは電気的消去可能プログラマブルメモリ、レジスタなど本分野のよく知られる記憶媒体に格納されることができる。当該記憶媒体はメモリ１００１に位置し、プロセッサ１０００はメモリ１００１に格納される情報を読み出して、そのハードウェアと組み合わせて信号処理フローのステップを完了する。
【００４８】
ここで、プロセッサ１０００は、メモリ１００１内のプログラムを読み取り、以下のプロセスを実行するように構成され、
ランダムアクセスプロセスを完了する端末を決定し、ランダムアクセスを完了するＢＷＰを前記端末のアクティブＢＷＰとし、ランダムアクセスプロセスが正常に完了した後、前記端末のＢＷＰ非アクティブタイマーの再起動操作を実行する。
任意選択で、前記ランダムアクセスプロセスは、競合ランダムアクセスプロセスである。
【００４９】
前記プロセッサ１０００は特に以下のように構成されている。
前記端末の競合解決が完了したタイミングに、またはＭｓｇ４をスケジューリングするＰＤＣＣＨを送信するタイミングに、ＢＷＰ非アクティブタイマーの再起動操作を実行する。
任意選択で、前記ランダムアクセスプロセスは、ビーム失敗回復（ｂｅａｍ ｆａｉｌｕｒｅ ｒｅｃｏｖｅｒｙ）を除いた非競合ランダムアクセスプロセスである。
【００５０】
前記プロセッサ１０００は特に以下のように構成されている。
前記端末の競合解決が完了したタイミングに、またはＭｓｇ２をスケジュールするＰＤＣＣＨを送信するタイミングに、ＢＷＰ非アクティブタイマーの再起動操作を実行する。
任意選択で、前記ランダムアクセスプロセスは、ビーム失敗回復（ｂｅａｍ ｆａｉｌｕｒｅ ｒｅｃｏｖｅｒｙ）の非競合ランダムアクセスプロセスである。
【００５１】
前記プロセッサ１０００は特に以下のように構成されている。
前記端末のＣ−ＲＮＴＩが含まれるＰＤＣＣＨを送信するタイミングに、ＢＷＰ非アクティブタイマーの再起動操作を実行する。
【００５２】
任意選択で、前記プロセッサ１０００は特に以下のように構成されている。
前記ＢＷＰ非アクティブタイマーの値を初期値として設定し、または、
前記ＢＷＰ非アクティブタイマーの値を、端末がランダムアクセスを開始する前の、ＢＷＰ非アクティブタイマーの値として設定する。
【００５３】
図１１に示すように、本発明の実施形態の第２の端末は、
ランダムアクセスプロセス中に、現在アクティブＢＷＰを変更ないでおくように構成された処理モジュール１１００と、
ランダムアクセスプロセスが正常に完了した後、ＢＷＰ非アクティブタイマーの再起動操作を実行すように構成された第１の再起動操作モジュール１１０１とを備える。
【００５４】
任意選択で、前記ランダムアクセスプロセスは、競合ランダムアクセスプロセスである。
前記第１の再起動操作モジュール１１０１は、具体的には以下のように構成される。
【００５５】
競合解決が完了したタイミング、またはＭｓｇ４をスケジューリングするＰＤＣＣＨを受信したタイミングに、ＢＷＰ非アクティブタイマーの再起動操作を実行する。
【００５６】
任意選択で、前記ランダムアクセスプロセスは、ビーム失敗回復（ｂｅａｍ ｆａｉｌｕｒｅ ｒｅｃｏｖｅｒｙ）を除いた非競合ランダムアクセスプロセスである。
前記第１の再起動操作モジュール１１０１は、具体的には以下のように構成される。
競合解決が完了したタイミングまたはＭｓｇ２をスケジュールするＰＤＣＣＨを受信するタイミングに、ＢＷＰ非アクティブタイマーの再起動操作を実行する。
任意選択で、前記ランダムアクセスプロセスは、ビーム失敗回復（ｂｅａｍ ｆａｉｌｕｒｅ ｒｅｃｏｖｅｒｙ）の非競合ランダムアクセスプロセスであり、
前記第１の再起動操作モジュール１１０１は、具体的には以下のように構成される。
前記端末のＣ−ＲＮＴＩが含まれるＰＤＣＣＨコマンドを受信したタイミングに、ＢＷＰ非アクティブタイマーの再起動操作を実行する。
任意選択で、前記第１の再起動操作モジュール１１０１は、具体的には以下のように構成される。
前記ＢＷＰ非アクティブタイマーの値を初期値として設定し、または、
前記ＢＷＰ非アクティブタイマーの値を、ランダムアクセスを開始する前のＢＷＰ非アクティブタイマーの値として設定する。
【００５７】
図１２に示すように、本発明の実施形態の第１のネットワーク側装置は、
ランダムアクセスプロセスを完了する端末を決定し、ランダムアクセスを完了するＢＷＰを前記端末のアクティブＢＷＰとするように構成された決定モジュール１２００と、
ランダムアクセスプロセスが正常に完了した後、前記端末のＢＷＰ非アクティブタイマーの再起動操作を実行するように構成された第２の再起動操作モジュール１２０１とを備える。
【００５８】
任意選択で、前記ランダムアクセスプロセスは、競合ランダムアクセスプロセスである。
前記第２の再起動操作モジュール１２０１は、具体的には以下のように構成される。
前記端末の競合解決が完了したタイミングに、またはＭｓｇ４をスケジューリングするＰＤＣＣＨを送信するタイミングに、ＢＷＰ非アクティブタイマーの再起動操作を実行する。
【００５９】
任意選択で、前記ランダムアクセスプロセスは、ビーム失敗回復（ｂｅａｍ ｆａｉｌｕｒｅ ｒｅｃｏｖｅｒｙ）を除いた非競合ランダムアクセスプロセスである。
前記第２の再起動操作モジュール１２０１は、具体的には以下のように構成される。
【００６０】
前記端末の競合解決が完了したタイミングに、またはＭｓｇ２をスケジュールするＰＤＣＣＨを送信するタイミングに、ＢＷＰ非アクティブタイマーの再起動操作を実行する。
任意選択で、前記ランダムアクセスプロセスは、ビーム失敗回復（ｂｅａｍ ｆａｉｌｕｒｅ ｒｅｃｏｖｅｒｙ）の非競合ランダムアクセスプロセスである。
前記第２の再起動操作モジュール１２０１は、具体的には以下のように構成される。
前記端末のＣ−ＲＮＴＩが含まれるＰＤＣＣＨを送信するタイミングに、ＢＷＰ非アクティブタイマーの再起動操作を実行する。
任意選択で、前記第２の再起動操作モジュール１２０１は、具体的には以下のように構成される。
前記ＢＷＰ非アクティブタイマーの値を初期値として設定し、または、
前記ＢＷＰ非アクティブタイマーの値を、端末がランダムアクセスを開始する前の、ＢＷＰ非アクティブタイマーの値として設定する。
【００６１】
本発明の実施形態は、不揮発性の読み取り可能な記憶媒体であり、プログラムコードを含む読み取り可能な記憶媒体を提供する。プログラムコードがコンピューティングデバイス上で実行されるとき、プログラムコードは、コンピューティングデバイスに、上述のスケジューリング要求を実行する端末のアクションを実行させるように構成される。
【００６２】
本発明の実施形態は、不揮発性の読み取り可能な記憶媒体であり、プログラムコードを含む読み取り可能な記憶媒体を提供する。プログラムコードがコンピューティングデバイス上で実行されると、プログラムコードは、コンピューティングデバイスに、上述のスケジューリング要求を実行するネットワーク側装置のアクションを実行させるように構成される。
【００６３】
同じ発明概念に基づいて、本発明の実施形態は、端末側での帯域幅のメンテナンスのための方法をさらに提供する。この方法の問題を解決する原理は装置に類似するので、この方法の実施はデバイスの実施を参照することができ、その繰り返しの説明はここでは省略される。
【００６４】
図１３に示すように、本発明の実施形態の端末側での帯域幅のメンテナンスのための方法は、以下を含む。
ステップ１３００：端末は、ランダムアクセスプロセス中に現在アクティブＢＷＰを変更しないままにする。
ステップ１３０１：前記端末は、ランダムアクセスプロセスが正常に完了した後、ＢＷＰ非アクティブタイマーの再起動操作を実行する。
任意選択で、前記ランダムアクセスプロセスは、競合ランダムアクセスプロセスである。
前記端末は、ランダムアクセスプロセスが正常に完了した後、ＢＷＰが非アクティブタイマーの再起動操作を実行することは具体的に、
前記端末は、競合解決が完了したタイミングに、，またはＭｓｇ４をスケジューリングするＰＤＣＣＨを受信したタイミング，ＢＷＰ非アクティブタイマーの再起動操作を実行する。
【００６５】
任意選択で、前記ランダムアクセスプロセスは、ビーム失敗回復（ｂｅａｍ ｆａｉｌｕｒｅ ｒｅｃｏｖｅｒｙ）を除いた非競合ランダムアクセスプロセスである。
前記端末は、ランダムアクセスプロセスが正常に完了した後、ＢＷＰが非アクティブタイマーの再起動操作を実行することは具体的に、
前記端末は、競合解決が完了したタイミングに、またはＭｓｇ２をスケジュールするＰＤＣＣＨを受信するタイミングに、ＢＷＰ非アクティブタイマーの再起動操作を実行する。
【００６６】
任意選択で、前記ランダムアクセスプロセスは、ビーム失敗回復（ｂｅａｍ ｆａｉｌｕｒｅ ｒｅｃｏｖｅｒｙ）の非競合ランダムアクセスプロセスである。
前記端末は、ランダムアクセスプロセスが正常に完了した後、ＢＷＰが非アクティブタイマーの再起動操作を実行することは、
前記端末は、前記端末のＣ−ＲＮＴＩが含まれるＰＤＣＣＨコマンドを受信したタイミングに、ＢＷＰ非アクティブタイマーの再起動操作を実行する。
【００６７】
任意選択で、前記端末がＢＷＰが非アクティブタイマーの再起動操作を実行することは具体的に、
前記端末は、前記ＢＷＰ非アクティブタイマーの値を初期値として設定し、または、
前記端末は、前記ＢＷＰ非アクティブタイマーの値を、ランダムアクセスを開始する前のＢＷＰ非アクティブタイマーの値として設定する。
【００６８】
同じ発明概念に基づいて、本発明の実施形態は、ネットワーク側装置による帯域幅のメンテナンスのための方法をさらに提供する。問題を解決する原理は装置に似ているので、この方法の実施はデバイスの実施を参照することができ、その繰り返しの説明はここでは省略される。
【００６９】
図１４に示すように、本発明の実施形態のネットワーク側装置による帯域幅のメンテナンスのための方法は、以下を含む。
ステップ１４００：ネットワーク側装置は、ランダムアクセスプロセスを完了する端末を決定し、ランダムアクセスを完了するＢＷＰを前記端末のアクティブＢＷＰとする。
ステップ１４０１：前記ネットワーク側装置は、ランダムアクセスプロセスが正常に完了した後、前記端末のＢＷＰ非アクティブタイマーの再起動操作を実行する。
任意選択で、前記ランダムアクセスプロセスは、競合ランダムアクセスプロセスである。
【００７０】
前記ネットワーク側装置が端末のランダムアクセスプロセスが正常に完了した後、前記端末のＢＷＰ非アクティブタイマーの再起動操作を実行することは具体的に、
前記ネットワーク側装置は、前記端末の競合解決が完了したタイミングに、またはＭｓｇ４をスケジューリングするＰＤＣＣＨを送信するタイミングに、ＢＷＰ非アクティブタイマーの再起動操作を実行する。
【００７１】
任意選択で、前記ランダムアクセスプロセスは、ビーム失敗回復（ｂｅａｍ ｆａｉｌｕｒｅ ｒｅｃｏｖｅｒｙ）を除いた非競合ランダムアクセスプロセスである。
【００７２】
前記ネットワーク側装置が端末のランダムアクセスプロセスが正常に完了した後、前記端末のＢＷＰ非アクティブタイマーの再起動操作を実行することは具体的に、
前記ネットワーク側装置は、前記端末の競合解決が完了したタイミングに、またはＭｓｇ２をスケジュールするＰＤＣＣＨを送信するタイミングに、ＢＷＰ非アクティブタイマーの再起動操作を実行する。
【００７３】
任意選択で、前記ランダムアクセスプロセスは、ビーム失敗回復（ｂｅａｍ ｆａｉｌｕｒｅ ｒｅｃｏｖｅｒｙ）の非競合ランダムアクセスプロセスである。
【００７４】
前記ネットワーク側装置が端末のランダムアクセスプロセスが正常に完了した後、前記端末のＢＷＰ非アクティブタイマーの再起動操作を実行することは具体的に、
前記ネットワーク側装置前記端末のＣ−ＲＮＴＩが含まれるＰＤＣＣＨを送信するタイミングに、ＢＷＰ非アクティブタイマーの再起動操作を実行する。
任意選択で、前記ネットワーク側装置が、前記端末のＢＷＰ非アクティブタイマーの再起動操作を実行することは具体的に、
前記ネットワーク側装置は、前記ＢＷＰ非アクティブタイマーの値を初期値として設定し、または、
前記ネットワーク側装置は、前記ＢＷＰ非アクティブタイマーの値を、端末がランダムアクセスを開始する前の、ＢＷＰ非アクティブタイマーの値として設定する。
【００７５】
同じ発明概念に基づいて、本発明の実施形態は、ネットワーク側装置による帯域幅のメンテナンスのための装置をさらに提供する。問題を解決する原理は装置に類似しているので、この装置の実施は装置の実施を参照することができ、その繰り返しの説明はここでは省略される。
本発明の実施形態によって提供される帯域幅パートのメンテナンスのための装置は、以下を含む。
ランダムアクセスプロセス中に端末の現在アクティブＢＷＰを変更しないようにするためのモジュールと、
ランダムアクセスプロセスが正常に完了した後、ＢＷＰ非アクティブタイマーの再起動操作を実行するためのモジュールとを備える。
【００７６】
本発明の実施形態によって提供される帯域幅パートのメンテナンスのための装置は、
ネットワーク側装置において、ランダムアクセスプロセスを完了する端末を決定し、ランダムアクセスを完了するＢＷＰを前記端末のアクティブＢＷＰとするためのモジュールと
ランダムアクセスプロセスが正常に完了した後、前記端末のＢＷＰ非アクティブタイマーの再起動操作を実行するためのモジュールとを備える。
【００７７】
本発明は、本開示の実施形態による方法、装置（システム）およびコンピュータプログラム製品のフローチャートおよび／またはブロック図で説明された。フローチャートおよび／またはブロック図のそれぞれのフローおよび／またはブロック、ならびにフローチャートおよび／またはブロック図のフローおよび／またはブロックの結合は、コンピュータプログラムコマンドで実施できることを理解されたい。これらのコンピュータープログラムコマンドは、汎用コンピューター、特定用途コンピューター、組み込みプロセッサー、または別のプログラム可能なデータ処理装置のプロセッサーにロードして、コンピューターまたは他のプロセッサーで実行されるコマンドが実行されるようにマシンを生成できる。プログラム可能なデータ処理装置は、フローチャートのフローおよび/またはブロック図のブロックで指定された機能を実行するための手段を作成する。
【００７８】
したがって、本開示の実施形態は、ハードウェアおよび／またはソフトウェア（したがって、アプリケーションは、ハードウェアおよび／またはソフトウェア（ファームウェア、常駐ソフトウェア、マイクロコードなどを含む）で実装することもできる）によって実装することができる。本開示の実施形態は、コンピュータ使用可能またはコンピュータ可読記憶媒体上のコンピュータプログラム製品によって実装することができ、コンピュータプログラム製品は、コマンドによる使用のために媒体に実装されたコンピュータ使用可能またはコンピュータ可読プログラムコードを有する。本開示の文脈において、コンピュータ使用可能またはコンピュータ可読媒体は、またはによって使用されるプログラムを含む、格納する、通信する、送信する、または転送することができる任意の媒体であり得る。こうして、コマンドでシステム、装置、または設備の使用を実行するか、コマンドも加えてでシステム、装置、または設備の使用を実行する。
【００７９】
無論、当業者によって、上述した実施形態に記述された技術的な解決手段を改造し、または、その中の一部の技術要素を置換することもできる。そのような、改造と置換は本発明の各実施形態の技術の範囲から逸脱するとは見なされない。そのような改造と置換は、すべて本発明の請求の範囲に属する。
【符号の説明】
【００８０】
１０  端末
２０  ネットワーク側装置
９００  プロセッサ
９０１  メモリ
９０２  送受信機
１０００  プロセッサ
１００１  メモリ
１００２  送受信機
１１００  処理モジュール
１１０１  第１の再起動操作モジュール
１２００  決定モジュール
１２０１  第２の再起動操作モジュール
【図１】
2021510260.tif 000003
【図２】
2021510260.tif 000004
【図３】
2021510260.tif 000005
【図４】
2021510260.tif 000006
【図５】
2021510260.tif 000007
【図６】
2021510260.tif 000008
【図７】
2021510260.tif 000009
【図８】
2021510260.tif 000010
【図９】
2021510260.tif 000011
【図１０】
2021510260.tif 000012
【図１１】
2021510260.tif 000013
【図１２】
2021510260.tif 000014
【図１３】
2021510260.tif 000015
【図１４】
2021510260.tif 000016
【手続補正書】
【提出日】令和2年7月8日(2020.7.8)
【手続補正１】
【補正対象書類名】特許請求の範囲
【補正対象項目名】全文
【補正方法】変更
【補正の内容】
【特許請求の範囲】
【請求項１】
端末は、ランダムアクセスプロセス中に現在アクティブＢＷＰを変更せずに維持するステップと、
前記端末は、ランダムアクセスプロセスが正常に完了した後、ＢＷＰ非アクティブタイマーの再起動操作を実行するステップとを備えることを特徴とする帯域幅パートＢＷＰメンテナンスのための方法。
【請求項２】
前記ランダムアクセスプロセスは、競合ランダムアクセスプロセスであり、
前記端末は、ランダムアクセスプロセスが正常に完了した後、ＢＷＰが非アクティブタイマーの再起動操作を実行することは、
前記端末は、競合解決が完了したタイミングに、またはメッセージＭｓｇ４をスケジューリングする物理ダウンリンク制御チャネル（ＰＤＣＣＨ）を受信するタイミングにＢＷＰ非アクティブタイマーの再起動操作を実行することを備えることを特徴とする請求項１に記載の帯域幅パートＢＷＰメンテナンスのための方法。
【請求項３】
前記ランダムアクセスプロセスは、ビーム失敗回復（ｂｅａｍ ｆａｉｌｕｒｅ ｒｅｃｏｖｅｒｙ）を除いた非競合ランダムアクセスプロセスであり、
前記端末は、ランダムアクセスプロセスが正常に完了した後、ＢＷＰが非アクティブタイマーの再起動操作を実行することは、
前記端末は、競合解決が完了したタイミングに、またはＭｓｇ２をスケジュールするＰＤＣＣＨを受信するタイミングに、ＢＷＰ非アクティブタイマーの再起動操作を実行することを備えることを特徴とする請求項１に記載の帯域幅パートＢＷＰメンテナンスのための方法。
【請求項４】
前記ランダムアクセスプロセスは、ビーム失敗回復（ｂｅａｍ ｆａｉｌｕｒｅ ｒｅｃｏｖｅｒｙ）の非競合ランダムアクセスプロセスであり、
前記端末は、ランダムアクセスプロセスが正常に完了した後、ＢＷＰが非アクティブタイマーの再起動操作を実行することは、
前記端末は、前記端末のセル無線ネットワーク一時的な識別子（Ｃ−ＲＮＴＩ）を含むＰＤＣＣＨコマンドを受信するタイミングに、ＢＷＰ非アクティブタイマーの再起動操作を実行することを特徴とする請求項１に記載の帯域幅パートＢＷＰメンテナンスのための方法。
【請求項５】
前記端末はＢＷＰが非アクティブタイマーの再起動操作を実行することは、
前記端末は、前記ＢＷＰ非アクティブタイマーの値を初期値として設定し、または、
前記端末は、前記ＢＷＰ非アクティブタイマーの値を、ランダムアクセスを開始する前のＢＷＰ非アクティブタイマーの値として設定することを特徴とする請求項１から請求項４のいずれか一項に記載の帯域幅パートＢＷＰメンテナンスのための方法。
【請求項６】
ネットワーク側装置は、ランダムアクセスプロセスを完了する端末を決定し、ランダムアクセスを完了するＢＷＰを前記端末のアクティブＢＷＰとするステップと、
前記ネットワーク側装置は、ランダムアクセスプロセスが正常に完了した後、前記端末のＢＷＰ非アクティブタイマーの再起動操作を実行するステップとを備えることを特徴とする帯域幅パートのメンテナンスのための方法。
【請求項７】
前記ランダムアクセスプロセスは、競合ランダムアクセスプロセスであり、
前記ネットワーク側装置が端末のランダムアクセスプロセスが正常に完了した後、前記端末のＢＷＰ非アクティブタイマーの再起動操作を実行することは、
前記ネットワーク側装置は、前記端末の競合解決が完了したタイミングに、またはＭｓｇ４をスケジューリングするＰＤＣＣＨを送信するタイミングに、ＢＷＰ非アクティブタイマーの再起動操作を実行することを特徴とする請求項６に記載の帯域幅パートのメンテナンスのための方法。
【請求項８】
前記ランダムアクセスプロセスは、ビーム失敗回復を除いた非競合ランダムアクセスプロセスであり、
前記ネットワーク側装置が端末のランダムアクセスプロセスが正常に完了した後、前記端末のＢＷＰ非アクティブタイマーの再起動操作を実行することは、
前記ネットワーク側装置は、前記端末の競合解決が完了したタイミングに、またはＭｓｇ２をスケジュールするＰＤＣＣＨを送信するタイミングに、ＢＷＰ非アクティブタイマーの再起動操作を実行することを特徴とする請求項６に記載の帯域幅パートのメンテナンスのための方法。
【請求項９】
前記ランダムアクセスプロセスは、ビーム失敗回復（ｂｅａｍ ｆａｉｌｕｒｅ ｒｅｃｏｖｅｒｙ）の非競合ランダムアクセスプロセスであり、
前記ネットワーク側装置は、端末のランダムアクセスプロセスが正常に完了した後、前記端末のＢＷＰ非アクティブタイマーの再起動操作を実行することは、
前記ネットワーク側装置は、前記端末のＣ−ＲＮＴＩが含まれるＰＤＣＣＨを送信するタイミングに、ＢＷＰ非アクティブタイマーの再起動操作を実行することを備えることを特徴とする請求項６に記載の帯域幅パートのメンテナンスのための方法。
【請求項１０】
前記ネットワーク側装置が、前記端末のＢＷＰ非アクティブタイマーの再起動操作を実行することは、
前記ネットワーク側装置は、前記ＢＷＰ非アクティブタイマーの値を初期値として設定し、または、
前記ネットワーク側装置は、前記ＢＷＰ非アクティブタイマーの値を、端末がランダムアクセスを開始する前の、ＢＷＰ非アクティブタイマーの値として設定することを特徴とする請求項６から請求項９のいずれか一項に記載の帯域幅パートのメンテナンスのための方法。
【請求項１１】
ランダムアクセスプロセス中に、現在アクティブＢＷＰを変更せずに維持するように構成された処理モジュールと、
ランダムアクセスプロセスが正常に完了した後、ＢＷＰ非アクティブタイマーの再起動操作を実行するように構成された第１の再起動操作モジュールとを備えることを特徴とする帯域幅パートのメンテナンスのための端末。
【請求項１２】
前記ランダムアクセスプロセスは、競合ランダムアクセスプロセスであり、
前記第１の再起動操作モジュールは、
競合解決が完了したタイミング、またはＭｓｇ４をスケジューリングするＰＤＣＣＨを受信したタイミングに、ＢＷＰ非アクティブタイマーの再起動操作を実行することを特徴とする請求項１１に記載の帯域幅パートのメンテナンスのための端末。
【請求項１３】
前記ランダムアクセスプロセスは、ビーム失敗回復を除いた非競合ランダムアクセスプロセスであり、
前記第１の再起動操作モジュールは、
競合解決が完了したタイミングまたはＭｓｇ２をスケジュールするＰＤＣＣＨを受信するタイミングに、ＢＷＰ非アクティブタイマーの再起動操作を実行することを特徴とする請求項１１に記載の帯域幅パートのメンテナンスのための端末。
【請求項１４】
前記ランダムアクセスプロセスは、ビーム失敗回復の非競合ランダムアクセスプロセスであり、
前記第１の再起動操作モジュールは、
前記端末のＣ−ＲＮＴＩが含まれるＰＤＣＣＨコマンドを受信したタイミングに、ＢＷＰ非アクティブタイマーの再起動操作を実行することを特徴とする請求項１１に記載の帯域幅パートのメンテナンスのための端末。
【請求項１５】
ランダムアクセスプロセスを完了する端末を決定し、ランダムアクセスを完了するＢＷＰを前記端末のアクティブＢＷＰとするように構成された決定モジュールと、
ランダムアクセスプロセスが正常に完了した後、前記端末のＢＷＰ非アクティブタイマーの再起動操作を実行するように構成された第２の再起動操作モジュールとを備えることを特徴とする帯域幅パートのメンテナンスのためのネットワーク側装置。
【国際調査報告】
2021510260.tif 000017
2021510260.tif 000018
2021510260.tif 000019
2021510260.tif 000020
2021510260.tif 000021
2021510260.tif 000022